(57)【要約】本発明は、低減された挿入損失を有するＲＦフィルタに関する。フィルタ（Ｆ）は、パスバンドを有する第１のバンドパスフィルタ（ＢＰＦ１）と、臨界周波数（ｆｓ）において望ましくない励振を有する回路ユニット（ＳＥ）と、回路ユニットが望ましくないほどに励振し、結果として電力が損失される前に、この周波数のＲＦ信号を反射する反射器（Ｒ）とを含む。【選択図】図１
2019527957.tif 000002
【特許請求の範囲】
【請求項１】
低減された挿入損失を有するＲＦフィルタ（Ｆ）であって、
入力ポート（Ｐｉｎ）と、
第１のパスバンドを有する第１のバンドパスフィルタ（ＢＰＦ１）と、
周波数ｆｓのＲＦ信号が望ましくない励振を引き起こす回路ユニット（ＳＥ）と、
周波数ｆｓのＲＦ信号を反射する反射器（Ｒ）と
を備え、ここにおいて、
前記第１のバンドパスフィルタ（ＢＰＦ１）と前記回路ユニット（ＳＥ）とは、前記入力ポート（Ｐｉｎ）に接続され、
前記周波数ｆｓは、第１のパスバンド内にあり、
前記反射器（Ｒ）は、前記入力ポート（Ｐｉｎ）と前記回路ユニット（ＳＥ）との間に接続される、ＲＦフィルタ。
【請求項２】
前記回路ユニットは、ＲＦフィルタである、請求項１に記載のＲＦフィルタ。
【請求項３】
前記バンドパスフィルタ（ＢＰＦ１）および／または前記回路ユニット（ＳＥ）は、弾性波を使用して動作する、請求項１乃至２のうちのいずれかに記載のＲＦフィルタ。
【請求項４】
前記反射器（Ｒ）は、ローパスフィルタ、ハイパスフィルタまたはバンドストップフィルタである、請求項１乃至３のうちのいずれかに記載のＲＦフィルタ。
【請求項５】
前記反射器（Ｒ）は、弾性波を使用して動作するか、またはＬＣリンクを含む、請求項１乃至４のうちのいずれかに記載のＲＦフィルタ。
【請求項６】
前記反射器（Ｒ）は、前記反射された信号が前記第１のバンドパスフィルタ（ＢＰＦ１）上で前記ＲＦ信号に建設的にオーバーラップし、且つ前記ＲＦフィルタ（Ｆ）の前記挿入損失を低減するような形で、前記周波数ｆｓの前記ＲＦ信号の位相を回転させる、請求項１乃至５のうちのいずれかに記載のＲＦフィルタ。
【請求項７】
前記望ましくない励振は、
周波数ｆｓの励振、
前記周波数ｆｓの信号からの相互変調積の励振、
高調波からの励振、
非線形効果によって引き起こされる励振、
ブロードバンド励振、または、
体積波によって引き起こされる励振である、請求項１乃至６のうちのいずれかに記載のＲＦフィルタ。
【請求項８】
２つ以上のカスケードされたベースユニットを加えて備え、各々は、反射器（Ｒ）と回路ユニット（ＳＥ）とを有する、請求項１乃至７のうちのいずれかに記載のＲＦフィルタ。
【請求項９】
前記反射器（Ｒ）は、信号経路中に接続され、
前記ＲＦフィルタ（Ｆ）は、前記信号経路中の前記反射器（Ｒ）に直列に接続されている追加の反射器（Ｒ）を含み、
これらの反射器（Ｒ）は、全てハイパスフィルタまたは全てローパスフィルタのいずれかであり、
それらのカットオフ周波数にしたがって前記信号経路中でソートされている前記反射器（Ｒ）は、直列のカスケードである、請求項１乃至８のうちのいずれかに記載のＲＦフィルタ。
【請求項１０】
前記第１のバンドパスフィルタ（ＢＰＦ１）は、並列経路中に接続され、それ自体は、周波数ｆにおいて望ましくない励振を有し、
追加の切り替えセグメント（ＩＳ）は、前記第１のバンドパスフィルタ（ＢＰＦ１）に並列に接続され、送信において、前記第１のバンドパスフィルタ（ＢＰＦ１）の前記望ましくない信号に破壊的に干渉する前記第１のバンドパスフィルタ（ＢＰＦ１）の望ましくない励振とは反対の信号を作成する、請求項１乃至９のうちのいずれかに記載のＲＦフィルタ。
【請求項１１】
前記第１のバンドパスフィルタ（ＢＰＦ１）は、並列経路中に接続され、それ自体は、周波数ｆにおいて望ましくない励振を有し、
前記周波数ｆの周囲にストップバンドを有する追加のフィルタは、前記第１のバンドパスフィルタ（ＢＰＦ１）の後に直列に接続される、請求項１乃至１０のうちのいずれかに記載のＲＦフィルタ。
【請求項１２】
請求項１乃至１１のうちのいずれかに記載のＲＦフィルタを有するフィルタコンポーネント。
【請求項１３】
請求項１２に記載のフィルタコンポーネントを有するフロントエンド回路。
【発明の詳細な説明】
【詳細な説明】
【０００１】
本発明は、挿入損失（insertion loss）が低減されるＲＦフィルタ（RF filter）と、対応するフィルタに起因してより低い電力要件を有するコンポーネントとに関する。
【０００２】
バンドパスフィルタ（bandpass filter）を有するフィルタ回路は、米国特許第７，５８６，９３６号から知られている。
【０００３】
ＲＦフィルタは、モバイル通信デバイスのフロントエンド回路（front-end circuit）中で使用されることができる。そのようなデバイスは概して、ネットワークとは独立した電源を装備されている。ＲＦフィルタの挿入損失がより高いほど、エネルギー消費はより高くなる。たくさんの消失される（dissipated）エネルギーは、低減された動作時間を意味するだけでなく、対応するコンポーネントの発熱もまたもたらし、このことから、温度特性（temperature characteristics）および出力互換性（output compatibility）に悪影響を及ぼす。
【０００４】
したがって、挿入損失を低減するようなフィルタを有する、ＲＦフィルタとコンポーネントとを提供することが、本発明の目的である。
【０００５】
それ故に、望ましくない形で生じさせられた熱によって電気的特性が悪化させられることが少ないようなフィルタを有する、ＲＦフィルタとコンポーネントとを提供することもまた、本発明の目的である。
【０００６】
これらの目的は、本願独立請求項にしたがったＲＦフィルタによって達成される。本願従属請求項は、有利な実施形態を規定している。
【０００７】
ＲＦフィルタは、入力ポート（input port）、第１のバンドパスフィルタ（first bandpass filter）、回路ユニット（circuit unit）および反射器（reflector）を有する。入力ポートは、回路環境からのＲＦ信号（RF signal）、例えば、電力受信増幅器からの送信信号またはアンテナからの信号、を受信するために提供される。第１のバンドパスフィルタは、第１の送信範囲、そのパスバンド（passband）を有する。回路ユニットでは、周波数（frequency）ｆｓのＲＦ信号は、望ましくない励振（undesired excitation）を引き起こす。反射器は、この周波数ｆｓのＲＦ信号を反射する（reflect）ために提供される。第１のバンドパスフィルタと切り替えユニット（switching unit）とは、入力ポートに接続される。周波数ｆｓは、第１のパスバンド内にあり、第１のパスバンドフィルタの送信範囲中にあることを意味する。反射器は、入力ポートと回路ユニットとの間に接続される。
【０００８】
バンドパスフィルタは、フロントエンド回路のような従来のバンドパスフィルタであることができる。ＲＦフィルタの回路ユニットは、さらなる対策（measures）がない場合には共振のような望ましくないフィードバックがエネルギーの損失をもたらすであろうフィルタの一部である。
【０００９】
典型的なＲＦフィルタでは、特にカバーされるべき複数のバンドが存在するときに、バンドパスフィルタと、バンドパスフィルタのパスバンド中でＲＦエネルギーを消失する回路ユニットとは、ＲＦ電力の一部が回路ユニット中で損失され、およびバンドパスフィルタからその出力において外部の回路環境にもはや送信されることができないような形で、互いに接続されかねない。回路ユニット中でのエネルギーの消失は、このことから、実際のバンドパスフィルタが極めて低い挿入損失を有する場合であっても、ＲＦフィルタの挿入損失を増大させる。
【００１０】
消失されるエネルギーは、単にもはやそこには存在しないのではなく、それは代わりに、それらの特有の周波数を変更することができる近くに位置（locate）されたバンドパスフィルタ中での温度変化をもたらす。
【００１１】
入力ポートと回路ユニットとの間の反射器は、理想的には、ここで最大のＲＦ電力をその出力ポートにおいて外部の回路環境に送信することができる第１のバンドパスフィルタに、そうでない場合は回路ユニット中で消失されるであろうＲＦ信号を反射する。
【００１２】
臨界周波数（critical frequency）ｆｓにおいて励振されかねない回路ユニットは概して問題である。回路ユニットは、臨界周波数ｆｓにおける周波数範囲で自己反射しているように設計されることができるが、純粋な反射は、しかしながら、補償されることができない入力アドミタンスの正の実数成分（a positive real component）を励振が常に課すことから、決して可能ではない。
【００１３】
回路ユニットは、ＲＦフィルタであることが可能である。
【００１４】
現代のポータブル通信デバイスは、複数の機能を提供し、且つ複数のバンド上で動作する。これらのデバイスは、対応する特有のパスバンドおよびロッキング周波数（locking frequency）を有する複数のＲＦフィルタを備える。そのようなデバイスを可能な限り小さく作り上げる（build）ことを可能にするために、電気音響フィルタ（electroacoustic filter）を使用することが有用である。そのようなフィルタ、例えば、ＳＡＷフィルタ（ＳＡＷ＝表面弾性波（Surface Acoustic Wave））、ＢＡＷフィルタ（ＢＡＷ＝バルク弾性波（Bulk Acoustic Wave））またはＧＢＡＷフィルタ（ＧＢＡＷ＝誘導バルク弾性波（Guided Bulk Acoustic Wave））は、圧電材料中の弾性波（acoustic wave）を刺激し、且つＲＦ信号と弾性波との間で変換する電極構造を有する。理想的には、意図されるメインモード（main mode）のみが、そのような電気音響フィルタ中を伝搬することが可能である。また、プレートモード（plate mode）のような望まれないモードまたは望ましくない体積波（volume wave）ならび他の非線形生成信号および、より高い高調波（harmonics）は、実際のコンポーネント中で励振可能であることが多く、およびエネルギー損失チャネルを構成する。出力ポートにおける望まれない効果によって生成された信号が、必要な仕様が満たされるような弱いレベルを示すような形で、ＲＦフィルタが設計されていたとしても、動作寿命は、このエネルギー損失によって望ましくない形で低減される。この問題は、通信デバイスがますます多くの機能を提供し、且つますます多くの周波数範囲をカバーしていることから、ますます重要性を増している。小型化への継続的な傾向は、さらに、電力密度が増大することから、増大された熱負荷からの圧力を悪化させる。
【００１５】
反射器は、特定の周波数範囲のために提供されたこの部分的フィルタがここで別のフィルタからほとんどまたは全くエネルギーをそらさないように、この分岐するフィルタの前に直列に接続される。入力ポートにおいてＲＦフィルタへと供給されるＲＦ電力は、大部分において、第１のパスバンドフィルタに直接流れる（pass directly to）ことができる。反射器上にかかる（fall on）電力（power）の一部分はまた、回路ユニット中で消失することなしにバンドパスフィルタに反射される。
【００１６】
したがって、特に、第１のバンドパスフィルタおよび／または回路ユニットは、弾性波で動作することが可能である。第１のバンドパスフィルタは、このことから、ＢＡＷフィルタ、ＳＡＷフィルタまたはＧＢＡＷフィルタであることができる。回路ユニットもまた、ＢＡＷフィルタ、ＳＡＷフィルタまたはＧＢＡＷフィルタであることができる。
【００１７】
反射器はまた、ローパスフィルタ（low-pass filter）、ハイパスフィルタ（high-pass filter）またはバンドストップフィルタ（band-stop filter）であることができる。
【００１８】
特に、回路ユニットがそれ自体ＲＦフィルタである場合、反射器は、フィルタが動作する周波数範囲全体でＲＦ信号を反射しないことがありうる。反射器は、したがって、周波数選択的な形で動作し、および第１のバンドパスフィルタのパスバンド内にある周波数のＲＦ電力を反射しなければならない。しかしながら、反射器はまた、回路素子によって必要とされるいかなる信号も反射しないことがありうる。
【００１９】
反射器は、弾性波を使用して動作することが可能である。代替としてまたは加えて、反射器は、ＬＣリンク（LC link）を備えることが可能である。フィルタがバンドストップフィルタである場合、それは、２つ以上の電気音響共振器を備えることができる。電気音響バンドストップフィルタは、例えば、それらの特有の周波数における直列共振器および並列共振器が、直列フィルタの反共振周波数が並列共振器の共振周波数と本質的に等しいようにチューニングされる場合に、取得されることができる。
【００２０】
その遷移幅（transition width）が電気音響フィルタの遷移幅より有意に大きいハイパス、ローパスまたはバンドストップフィルタは、ＬＣリンク（Ｌ：誘導素子、Ｃ：容量素子）を使用して取得されることができる。第１のバンドパスフィルタの第１のパスバンドおよび回路ユニットの追加のパスバンドまたは動作範囲が十分に遠くに離れて位置（locate）されている場合、ＬＣリンクからのフィルタは、容易に満足させる（easily suffice）ことができる。
【００２１】
ハイパスフィルタまたはローパスフィルタの使用は、ＲＦフィルタ回路がフィルタの動作周波数にしたがって配置された並列経路（parallel path）中に複数のフィルタを含む場合に、カスケーディングに特に適している。
【００２２】
反射器は、反射された信号が第１のバンドパスフィルタ上でＲＦ信号に建設的にオーバーラップ（constructively overlap）し、且つこのことからＲＦフィルタの挿入損失を低減するような形で、周波数ｆｓのＲＦ信号の位相（phase）を回転（rotate）させることができる。
【００２３】
ＲＦフィルタは、入力ポートにおいてＲＦ信号を受信する。ＲＦ電力の一部は、第１のバンドパスフィルタに直接流れる。電力の別の部分は、反射器によって反射され、第１のバンドパスフィルタにセカンダリ電力（secondary power）として流れる。理想的には、プライマリ信号とセカンダリ信号とは、最大のＲＦ電力が第１のバンドパスフィルタの出力において送信されることができるように、同じ位相位置（phase position）を有する。この目的のために、反射器は、オールパスフィルタ（all-pass filter）の素子を有することができ、位相位置に対するその影響は、第１のバンドパスフィルタ上のプライマリおよびセカンダリ信号がそれらの位相位置において対応するように設計されている。
【００２４】
回路ユニット中の望まれない励振は、周波数ｆｓの励振、周波数ｆｓの信号の相互変調積（intermodulation product）からの励振、高調波からの励振、非線形効果（non-linear effect）によって引き起こされた励振、ブロードバンド励振（broad-band excitation）または体積波によって引き起こされた励振である可能性がある。
【００２５】
回路ユニットが周波数ｆｓにおいて直接刺激される場合、これらの信号は、弱められるであろう。相互変調積が生成される場合、例えば、周波数ｆｓの信号が異なる周波数のＲＦ信号と遭遇し、および回路ユニットが１００％の線形挙動を有さない場合、干渉信号が、同時に発生する信号（coincident signal）間の差の整数倍（whole number multiples of）に依存する周波数上で生成される。これらはその後、１つのエネルギー損失チャネルしか表さないが、それらの周波数範囲は、実際に望ましい周波数に対応することができ、且つそれに応じて望ましい信号を妨害しかねない。
【００２６】
エネルギー損失を防ぐための上記に概説された原理は、狭周波数範囲の励振から広周波数範囲の励振まで機能できる。体積波からの励振は、例えば、概して、より低い周波数バンド端（体積波オンセット（volume wave onset））を有し、その後に、ローパスフィルタを使用して比較的容易にカットアウトされることができる干渉励振を有するより広い周波数範囲が続く。
【００２７】
望ましくない励振が、より高い周波数にある可能性がより高いことにも当てはまり、それは、ローパスフィルタの使用（または複数のローパスフィルタの使用をカスケードすることによって）が好まれる理由である。
【００２８】
反射器は、挿入損失の低減を防ぐだけでなく、ＲＦフィルタの電気的特性、特にアイソレーション（isolation）も改善する。
【００２９】
既に述べられたように、ここに説明されている原理の複数のアプリケーションは、挿入損失を増大させるために使用されることができる。この目的のために、ＲＦフィルタは、２つ以上のカスケードされたベースユニット（two or more cascaded base units）を備えることができ、各々は、反射器と回路ユニットとを有する。特に、追加の対策がない場合に、望ましくない形で信号経路（signal path）からＲＦ電力を取り除くであろう各回路ユニットは、臨界周波数の信号からこの回路ユニットを精確にカットオフする関連する反射器を有することが可能である。ＲＦフィルタはまた、信号経路を有することが可能である。反射器は、信号経路中で切り替えられる。さらに、信号経路は、追加の反射器を有するか、または信号経路中で反射器に直列に接続する。これらの反射器は、全てハイパスフィルタまたは全てローパスフィルタのいずれかであることができる。反射器は、信号経路中でカスケードされ、およびそれらのカットオフ周波数（cut-off frequency）にしたがってソート（sort）される。
【００３０】
信号の方向に見て、対応する回路ユニット、例えば、並列経路の対応するＲＦフィルタは、各反射器の下流の信号経路の信号分岐（signal branch）から分岐することができる。
【００３１】
ハイパスフィルタを反射器として使用するとき、次が当てはまる：分岐する並列経路中に配置されたＲＦフィルタは、信号方向に見た場合、それらの動作周波数にしたがって降順で配置される。入力ポートに最も近く位置されたバンドパスフィルタは、最も高い周波数において動作する。信号の方向に見て、続く分岐するバンドパスフィルタは、より狭い周波数において動作し、および以前のバンドパスフィルタの動作周波数において励振を有する。間に配置されたローパスフィルタは、第２のバンドパスフィルタの動作周波数のＲＦ信号が通過することを可能にするが、以前に分岐したバンドパスフィルタの動作周波数の信号を反射し、それは、そうでない場合は、第１のフィルタの動作周波数において励振をもたらすであろう。ハイパスフィルタが使用される場合、逆の順序が、それらの動作周波数に基づくバンドパスフィルタのソートに適用される。
【００３２】
いくらかより一般的に定式化されると（Somewhat more generally formulated）、ブロードバンド形式で動作する反射器の使用は、上記に挙げられた反射器および回路ユニットの順序が維持される場合にカスケーディングを可能にする。これは、現在のＲＦフィルタを米国特許第７，５８３，９３６号にしたがったフィルタと区別する。
【００３３】
第１のバンドパスフィルタ自体が好ましくは、弾性波を使用して動作し、およびことによると非線形効果を示す（exhibits）ことから、第１のバンドパスフィルタは、それ自体が周波数ｆにおいて望ましくない励振を有しかねない。第１のバンドパスフィルタは、したがって、並列経路中に接続されることができ、追加の回路素子は、第１のバンドパスフィルタに並列に接続されることができる。追加の回路素子は、対応するＲＦ信号のアプリケーションに対して、第１のバンドパスフィルタの望ましくない励振とは反対である送信において信号を作成することができる。第１のバンドパスフィルタの出力と追加の回路素子の出力とは、作成される反対の信号と第１のバンドパスフィルタ中の望ましくない信号とが破壊的に干渉する（interfere destructively）ように、ともに接続されることができる。
【００３４】
入力アドミタンスの正の実際の部分（the positive actual portion）により、１００％の反射は励振中に補償されることができないが、この配置は、送信においてそれを可能にする。負の干渉（negative interference）のための対応する配置は、したがって、原則として、非常に効率的に動作することができる。
【００３５】
それ自体が周波数ｆにおいて望ましくない励振を有する並列経路中の第１のバンドパスフィルタのケースでは、第１のバンドパスフィルタの後に直列に、周波数ｆの周囲にストップバンド（stop band）を有する追加のフィルタを接続することが可能である。直列に接続されるそのようなフィルタは、第１のバンドパスフィルタの動作周波数上で信号を通過させるが、生成された干渉信号をそらす、または消失するローパスフィルタまたはハイパスフィルタであることができる。特に、これらが外部の回路ユニットにさらに送信されるべきでない周波数範囲の信号である場合、挿入損失は、それにより低減されない。
【００３６】
ＲＦフィルタは、フィルタコンポーネント（filter component）中で使用および接続されることができる。対応するフィルタコンポーネントはまた、フロントエンド回路の一部であることができる。
【００３７】
ＲＦフィルタおよびその基礎をなす機能的原理、ならびに任意の可能な実施形態は、以下に説明される概略図を参照して詳細に説明される。
【図面の簡単な説明】
【００３８】
【図１】ＲＦフィルタＦの基本スキームである。
【図２】フィルタを有する１つの可能な形態である。
【図３】従来の回路中でより高い挿入損失をもたらす問題の例示である。
【図４】複数の並列接続フィルタを有する回路への原理の移転である。
【図５】並列回路素子を使用して干渉モードを低減するための追加の可能性である。
【図６】追加の直列回路素子を使用して追加の干渉モードを低減するための可能性である。
【００３９】
図１は、ＲＦフィルタＦの挿入損失を改善するための基本動作モードを示している。フィルタＦは、入力ポートＰｉｎを有し、その中に、特定の強度を有する信号Ｓが供給される。第１のバンドパスフィルタＢＰＦ１は、入力ポートＰｉｎに接続される。第１のバンドパスフィルタＢＰＦ１は、周波数ｆｓの周囲にパスバンドを有する。回路ユニットＳＥは、第１のバンドパスフィルタＢＰＦ１と入力ポートＰｉｎとに並列に接続される。回路ユニットＳＥは、周波数ｆｓにおいて励振され得る（ハッチングされた三角形によって表された）。入力ポートＰｉｎに供給された信号Ｓは、第１のバンドパスフィルタＢＰＦ１に達する。出力ポートＰ１ｏｕｔにおいて全電力が出力され得る。反射器Ｒは、第１のバンドパスフィルタＢＲＦ１と回路ユニットＳＥとの間に接続され、周波数ｆｓの対応するＲＦ電力を反射して第１のバンドパスフィルタＢＰＦ１に戻す。
【００４０】
図２は、反射器ＲがローパスフィルタＬＰとして設計されているフィルタの可能な形態を示している。回路ユニットＳＥは、バンドパスフィルタとして、このケースでは、第２のバンドパスフィルタＢＰＦ２として第１のバンドパスフィルタＢＰＦ１の隣に設計されている。臨界周波数ｆｓの信号は、その出力Ｐ１ｏｕｔにおいて第１のバンドパスフィルタＢＰＦ１を介して出力される。第２のバンドパスフィルタＢＰＦ２の動作周波数である周波数ｆ２の信号は、ローパスフィルタＬＰによって事実上変化させられずに送信され、且つ第２のバンドパスフィルタＢＰＦ２の出力ポートＰ２ｏｕｔにおいて利用可能にされる。反射器ＲまたはローパスフィルタＬＰは、バンドパスフィルタＢＰＦ２中で消失される、または干渉信号に変換される信号を反射するが、変化しない第２のバンドパスフィルタＢＰＦ２の動作周波数の信号を許容する。
【００４１】
バンドパスフィルタの動作周波数の周波数セッティングと干渉励振の状況とに依存して、および入力ポートＰｉｎから見た２つのバンドパスフィルタの順序に依存して、ローパスフィルタまたはハイパスフィルタのいずれかが、反射器として有利である。代替として、バンドストップまたはバンドパスフィルタもまた、反射器として使用されることができる。
【００４２】
図３は、従来のＲＦフィルタの問題を例示している。入力信号Ｓの強度は２つの部分に分かれる。大部分のＳ１は、第１のバンドパスフィルタを通過する。第２の部分のＳ２は、しかしながら、回路ユニットへと入り、臨界周波数ｆｓにおいて励振を生じさせる。この強度は損失される。ＲＦフィルタの臨界周波数ｆｓの周囲の信号についての挿入損失は、望ましくない形で増大する。
【００４３】
図４は、３つのドットによって表された、１つの回路素子と１つよりも多くのバンドパスフィルタとを有するＲＦフィルタ上での反射の原理のアプリケーションを示している。可能性のある臨界励振または消失（possible critical excitation or dissipation）を有する各回路に対して、ローパスフィルタＬＰＦ１、ＬＰＦ２として図４中に表されている反射器が提供されることができる。バンドパスフィルタまたは回路ユニットを有する並列経路の順序は、動作周波数（operating frequency）および臨界周波数の状況に対応するように選択されなければならない。信号経路中でカスケードされ、且つそれらの交差周波数（crossover frequency）にしたがってソートされたローパスフィルタまたはハイパスフィルタは、その後、反射器として使用されることができる。
【００４４】
図５は、バンドパスフィルタまたは回路ユニットに並列に接続されることができるインバータ回路（inverter circuit）ＩＳを示している。第１のバンドパスフィルタＢＰＦ１（または並列経路中の別の対応する素子）自体が、干渉信号が励振される、または望ましい信号が消失される臨界周波数を有する場合、反転された干渉信号に等しいこの臨界周波数上で出力信号を作成するインバータ回路ＩＳが提供されることができる。これは、対応する部分的回路の相互接続された出力上でのオーバーラップをもたらすため、第１のバンドパスフィルタＢＰＦ１の負の影響は無効にされる。
【００４５】
図６は、干渉信号を除去するための追加のまたは代替の可能性を示している。干渉信号の電力が他に必要でない場合、単純なローパスフィルタＦ’（あるいは、適宜、ハイパスフィルタまたはストップバンドフィルタ）が、バンドパスフィルタＢＰＦ１の後に直列に接続されることができる。
【００４６】
ＲＦフィルタは、例示された典型的な実施形態および説明された実施形態に限定されない。フィルタは、追加の回路素子、インピーダンス整合回路、位相応答を修正するための回路ユニット、追加のバンドパスフィルタ、および同様のものを含むことができる。
【参照番号のリスト】
【００４７】
ＢＰＦ１：第１のバンドパスフィルタ
ＢＰＦ２：第２のバンドパスフィルタ
Ｆ：ＲＦフィルタ
Ｆ’：干渉信号抑制のために直列に接続されたフィルタ
ｆ２：第２のバンドパスフィルタＢＰＦ２のパスバンド中の動作周波数
ｆ３：第１のバンドパスフィルタ中の可能性のある干渉の周波数
ｆｓ：望ましくない励振の臨界周波数
ＨＰ：ハイパスフィルタ
ＩＳ：インバータ回路
ＬＰ：ローパスフィルタ
ＬＰＦ１：第１のローパスフィルタ
ＬＰＦ２：第２のローパスフィルタ
Ｐ１ｏｕｔ：第１のバンドパスフィルタの出力ポート
Ｐ２ｏｕｔ：回路ユニットの出力ポート
Ｐｉｎ：ＲＦフィルタの入力ポート
Ｒ：反射器
Ｓ：ＲＦ信号の強度
Ｓ１：第１の強度
Ｓ２：反射器がないと、回路ユニット中での望ましくない励振を通じて消失されるであろう強度
ＳＥ：回路ユニット
【図１】
2019527957.tif 000003
【図２】
2019527957.tif 000004
【図３】
2019527957.tif 000005
【図４】
2019527957.tif 000006
【図５】
2019527957.tif 000007
【図６】
2019527957.tif 000008
【手続補正書】
【提出日】平成31年3月12日(2019.3.12)
【手続補正１】
【補正対象書類名】特許請求の範囲
【補正対象項目名】全文
【補正方法】変更
【補正の内容】
【特許請求の範囲】
【請求項１】
低減された挿入損失を有する無線周波数（ＲＦ）フィルタ（Ｆ）であって、
入力ポート（Ｐｉｎ）と、
第１のパスバンドを有する第１のバンドパスフィルタ（ＢＰＦ１）と、
周波数ｆｓのＲＦ信号が望ましくない励振を引き起こす第１の回路ユニット（ＳＥ）と、
前記周波数ｆｓのＲＦ信号を反射する第１の反射器（Ｒ）と、ここにおいて、
前記第１のバンドパスフィルタ（ＢＰＦ１）と前記第１の回路ユニット（ＳＥ）とは、前記入力ポート（Ｐｉｎ）に接続され、
前記周波数ｆｓは、第１のパスバンド内にあり、
前記第１の反射器（Ｒ）は、前記入力ポート（Ｐｉｎ）と前記第１の回路ユニット（ＳＥ）との間に接続される、
複数のカスケードされたベースユニットと、各々は、第２の反射器（Ｒ）と第２の回路ユニット（ＳＥ）とを有する、
を備える、ＲＦフィルタ（Ｆ）。
【請求項２】
前記第１の回路ユニット（ＳＥ）は、ＲＦフィルタである、請求項１に記載のＲＦフィルタ（Ｆ）。
【請求項３】
前記第１のバンドパスフィルタ（ＢＰＦ１）および／または前記第１の回路ユニット（ＳＥ）は、弾性波を使用して動作する、請求項１乃至２のうちのいずれかに記載のＲＦフィルタ（Ｆ）。
【請求項４】
前記第１の反射器（Ｒ）は、ローパスフィルタ、ハイパスフィルタまたはバンドストップフィルタである、請求項１乃至３のうちのいずれかに記載のＲＦフィルタ（Ｆ）。
【請求項５】
前記第１の反射器（Ｒ）は、弾性波を使用して動作するか、またはＬＣリンクを含む、請求項１乃至４のうちのいずれかに記載のＲＦフィルタ（Ｆ）。
【請求項６】
前記第１の反射器（Ｒ）は、前記反射された信号が前記第１のバンドパスフィルタ（ＢＰＦ１）上でＲＦ信号に建設的にオーバーラップし、且つ前記ＲＦフィルタ（Ｆ）の前記挿入損失を低減するような形で、前記周波数ｆｓの前記ＲＦ信号の位相を回転させる、請求項１乃至５のうちのいずれかに記載のＲＦフィルタ（Ｆ）。
【請求項７】
前記望ましくない励振は、
周波数ｆｓの励振、
前記周波数ｆｓの信号からの相互変調積の励振、
高調波からの励振、
非線形効果によって引き起こされる励振、
ブロードバンド励振、または、
体積波によって引き起こされる励振である、請求項１乃至６のうちのいずれかに記載のＲＦフィルタ（Ｆ）。
【請求項８】
前記第１の反射器（Ｒ）は、信号経路中に接続され、
前記ＲＦフィルタ（Ｆ）は、前記信号経路中の前記第１の反射器（Ｒ）に直列に接続されている１つまたは複数の第３の反射器（Ｒ）を含み、
前記１つまたは複数の第３の反射器（Ｒ）は、全てハイパスフィルタまたは全てローパスフィルタのいずれかであり、
前記１つまたは複数の第３の反射器（Ｒ）は、それらのカットオフ周波数にしたがって前記信号経路中でソートされ、直列にカスケードされる、請求項１乃至７のうちのいずれかに記載のＲＦフィルタ（Ｆ）。
【請求項９】
前記第１のバンドパスフィルタ（ＢＰＦ１）は、周波数ｆにおいて望ましくない励振を有し、
切り替えセグメント（ＩＳ）は、前記第１のバンドパスフィルタ（ＢＰＦ１）に並列に接続され、前記第１のバンドパスフィルタ（ＢＰＦ１）の前記望ましくない信号に破壊的に干渉する前記第１のバンドパスフィルタ（ＢＰＦ１）の前記望ましくない励振とは反対の信号を作成する、請求項１乃至８のうちのいずれかに記載のＲＦフィルタ（Ｆ）。
【請求項１０】
前記第１のバンドパスフィルタ（ＢＰＦ１）は、周波数ｆにおいて望ましくない励振を有し、
前記周波数ｆの周囲にストップバンドを有する追加のフィルタは、前記第１のバンドパスフィルタ（ＢＰＦ１）の後に直列に接続される、請求項１乃至８のうちのいずれかに記載のＲＦフィルタ（Ｆ）。
【請求項１１】
請求項１乃至１０のうちのいずれかに記載の無線周波数（ＲＦ）フィルタを有するフィルタコンポーネント。
【請求項１２】
請求項１１に記載のフィルタコンポーネントを有するフロントエンド回路。
【手続補正２】
【補正対象書類名】明細書
【補正対象項目名】００４７
【補正方法】変更
【補正の内容】
【００４７】
ＢＰＦ１：第１のバンドパスフィルタ
ＢＰＦ２：第２のバンドパスフィルタ
Ｆ：ＲＦフィルタ
Ｆ’：干渉信号抑制のために直列に接続されたフィルタ
ｆ２：第２のバンドパスフィルタＢＰＦ２のパスバンド中の動作周波数
ｆ３：第１のバンドパスフィルタ中の可能性のある干渉の周波数
ｆｓ：望ましくない励振の臨界周波数
ＨＰ：ハイパスフィルタ
ＩＳ：インバータ回路
ＬＰ：ローパスフィルタ
ＬＰＦ１：第１のローパスフィルタ
ＬＰＦ２：第２のローパスフィルタ
Ｐ１ｏｕｔ：第１のバンドパスフィルタの出力ポート
Ｐ２ｏｕｔ：回路ユニットの出力ポート
Ｐｉｎ：ＲＦフィルタの入力ポート
Ｒ：反射器
Ｓ：ＲＦ信号の強度
Ｓ１：第１の強度
Ｓ２：反射器がないと、回路ユニット中での望ましくない励振を通じて消失されるであろう強度
ＳＥ：回路ユニット
以下に本願の出願当初の特許請求の範囲に記載された発明を付記する。
［Ｃ１］
低減された挿入損失を有するＲＦフィルタ（Ｆ）であって、
入力ポート（Ｐｉｎ）と、
第１のパスバンドを有する第１のバンドパスフィルタ（ＢＰＦ１）と、
周波数ｆｓのＲＦ信号が望ましくない励振を引き起こす回路ユニット（ＳＥ）と、
周波数ｆｓのＲＦ信号を反射する反射器（Ｒ）と
を備え、ここにおいて、
前記第１のバンドパスフィルタ（ＢＰＦ１）と前記回路ユニット（ＳＥ）とは、前記入力ポート（Ｐｉｎ）に接続され、
前記周波数ｆｓは、第１のパスバンド内にあり、
前記反射器（Ｒ）は、前記入力ポート（Ｐｉｎ）と前記回路ユニット（ＳＥ）との間に接続される、ＲＦフィルタ。
［Ｃ２］
前記回路ユニットは、ＲＦフィルタである、Ｃ１に記載のＲＦフィルタ。
［Ｃ３］
前記バンドパスフィルタ（ＢＰＦ１）および／または前記回路ユニット（ＳＥ）は、弾性波を使用して動作する、Ｃ１乃至２のうちのいずれかに記載のＲＦフィルタ。
［Ｃ４］
前記反射器（Ｒ）は、ローパスフィルタ、ハイパスフィルタまたはバンドストップフィルタである、Ｃ１乃至３のうちのいずれかに記載のＲＦフィルタ。
［Ｃ５］
前記反射器（Ｒ）は、弾性波を使用して動作するか、またはＬＣリンクを含む、Ｃ１乃至４のうちのいずれかに記載のＲＦフィルタ。
［Ｃ６］
前記反射器（Ｒ）は、前記反射された信号が前記第１のバンドパスフィルタ（ＢＰＦ１）上で前記ＲＦ信号に建設的にオーバーラップし、且つ前記ＲＦフィルタ（Ｆ）の前記挿入損失を低減するような形で、前記周波数ｆｓの前記ＲＦ信号の位相を回転させる、Ｃ１乃至５のうちのいずれかに記載のＲＦフィルタ。
［Ｃ７］
前記望ましくない励振は、
周波数ｆｓの励振、
前記周波数ｆｓの信号からの相互変調積の励振、
高調波からの励振、
非線形効果によって引き起こされる励振、
ブロードバンド励振、または、
体積波によって引き起こされる励振である、Ｃ１乃至６のうちのいずれかに記載のＲＦフィルタ。
［Ｃ８］
２つ以上のカスケードされたベースユニットを加えて備え、各々は、反射器（Ｒ）と回路ユニット（ＳＥ）とを有する、Ｃ１乃至７のうちのいずれかに記載のＲＦフィルタ。
［Ｃ９］
前記反射器（Ｒ）は、信号経路中に接続され、
前記ＲＦフィルタ（Ｆ）は、前記信号経路中の前記反射器（Ｒ）に直列に接続されている追加の反射器（Ｒ）を含み、
これらの反射器（Ｒ）は、全てハイパスフィルタまたは全てローパスフィルタのいずれかであり、
それらのカットオフ周波数にしたがって前記信号経路中でソートされている前記反射器（Ｒ）は、直列のカスケードである、Ｃ１乃至８のうちのいずれかに記載のＲＦフィルタ。
［Ｃ１０］
前記第１のバンドパスフィルタ（ＢＰＦ１）は、並列経路中に接続され、それ自体は、周波数ｆにおいて望ましくない励振を有し、
追加の切り替えセグメント（ＩＳ）は、前記第１のバンドパスフィルタ（ＢＰＦ１）に並列に接続され、送信において、前記第１のバンドパスフィルタ（ＢＰＦ１）の前記望ましくない信号に破壊的に干渉する前記第１のバンドパスフィルタ（ＢＰＦ１）の望ましくない励振とは反対の信号を作成する、Ｃ１乃至９のうちのいずれかに記載のＲＦフィルタ。
［Ｃ１１］
前記第１のバンドパスフィルタ（ＢＰＦ１）は、並列経路中に接続され、それ自体は、周波数ｆにおいて望ましくない励振を有し、
前記周波数ｆの周囲にストップバンドを有する追加のフィルタは、前記第１のバンドパスフィルタ（ＢＰＦ１）の後に直列に接続される、Ｃ１乃至１０のうちのいずれかに記載のＲＦフィルタ。
［Ｃ１２］
Ｃ１乃至１１のうちのいずれかに記載のＲＦフィルタを有するフィルタコンポーネント。
［Ｃ１３］
Ｃ１２に記載のフィルタコンポーネントを有するフロントエンド回路。
【国際調査報告】
2019527957.tif 000009
2019527957.tif 000010
2019527957.tif 000011